(57)【要約】【課題】粘着シート状塵埃除去具を安価に提供し、景品として複数枚を纏めて配布するのに適し、且つ受け取った人が携行して便利に利用出来るようにする。【解決手段】粘着シート１をこれと同じサイズの離型紙４で覆って成る粘着シート状塵埃除去具６の複数枚を共通の一側縁に天糊３Ａを施して一つの綴じ物７とする。更に各粘着シート状塵埃除去具の離型紙４に一側縁から他の側縁へ延びる切断スリット加工５を施したことである。【選択図】図２
0003113334.tif 000002
【実用新案登録請求の範囲】
【請求項１】
粘着シートをこれと同じサイズの離型紙で覆って成る粘着シート状塵埃除去具が複数枚重ねられ、その共通一側縁に天糊が施されて綴じ合わされており、各粘着シート状塵埃除去具の離型紙には一側縁から他の側縁へ延びた切断スリット加工が施されていることを特徴とする粘着シート状塵埃除去具の複数枚綴じ物。
【請求項２】
粘着シートをこれと同じサイズの離型紙で覆って成る粘着シート状塵埃除去具が複数枚重ねられ、その共通一縁部においてスティプラーを使用して綴じ合わされており、各粘着シート状塵埃除去具の離型紙には一側縁から他の側縁へ延びた切断スリット加工が施されていることを特徴とする粘着シート状塵埃除去具の複数枚綴じ物。
【請求項３】
粘着シートをこれと同じサイズの離型紙で覆って成る粘着シート状塵埃除去具の複数が一つの袋の中に入れられており、各粘着シート状塵埃除去具の離型紙には一側縁から他の側縁へ延びた切断スリット加工が施されていることを特徴とする粘着シート状塵埃除去具の複数枚綴じ物。
【考案の詳細な説明】
【技術分野】
【０００１】  本考案は、例えば衣類・カーペット等に付いたゴミ・フケ・抜け毛等の塵埃を除去する粘着シート状塵埃除去具の複数枚綴じ物に関する。
【背景技術】
【０００２】  衣類・カーペット等に付いたゴミ・フケ・抜け毛等の塵埃を粘着シートで除去することは周知である。
また  このような塵埃除去用粘着シートを複数枚の綴じ物にして携行する事も周知である。これら粘着シートの粘着面は普通は離型紙で覆われている。しかし離型紙を介さずに直接に複数枚の粘着シートを積層した物もある。【０００３】  離型紙を備えた粘着シートの複数枚の綴じ物の一例が特開平１０−３２３３２１号公報に開示されている。これは複数枚の離型紙をその一側縁で綴じ合わせ、各離型紙にこれよりも小さいサイズの粘着シートをその粘着層で貼付したものである。使用時には粘着シートを離型紙から剥離するのであるが、剥離しやすいように、粘着シートの粘着層の角部が非粘着化されている。非粘着化するために、粘着層の角部に薄片が貼り付けられるか、または角部は粘着剤が除去されている。
【考案の開示】
【考案が解決しようとする課題】
【０００４】  本考案は粘着シート状塵埃除去具を景品として安価に提供出来、しかも粘着シート状塵埃除去具を複数枚纏めて配布するのに適し、かつ受け取った人が携行して便利に利用できるようにするものである。
【課題を解決するための手段】
【０００５】  粘着シートをこれと同じサイズの離型紙で覆って成る粘着シート状塵埃除去具を、複数枚重ねてその共通一側縁に天糊を施して、或いはその共通一縁部にステイプラーを使用して、或いは最も簡単には複数枚を透明な袋に入れて、粘着シート状塵埃除去具の複数枚綴じ物とし、各粘着シート状塵埃除去具の離型紙には一側縁から他の側縁へ延びた切断スリット加工を施したものである。
【考案の効果】
【０００６】  上述のように、本考案では塵埃除去用の粘着シートは、これを覆う離型紙が切断スリット加工を受けているので、使用者が離型紙を剥離しようとする時、切断スリット加工の線に沿って粘着シート側が谷になるように塵埃除去用の粘着シートを折り曲げると、自ずと離型紙が粘着シートから山側へ剥離し出すのである。尚この離型紙の切断スリット加工は粘着層を非粘着化するよりも格段に安価でありかつ大量生産向きの加工である。
又  本考案の粘着シート状塵埃除去具の複数枚綴じ物は  重ねられた粘着シート状塵埃除去具の共通一側縁に天糊を施して、或いはステイプラーを使用して、或いは複数枚を袋に入れて  綴じ物にしているので複数枚を纏めて景品として配布するのに適するし、綴じ物にする加工費も安価である。
【考案を実施するための最良の形態】
【０００７】  本考案では、塵埃除去用の粘着シートは長方形であり、名刺程度から葉書程度のサイズである。粘着シートの粘着層は粘着シートと同じサイズの離型紙で覆われ、各離型紙にはその長方形の一対の長辺の間を最短距離で延びる切断スリット加工が施されている。
本考案の粘着シート状塵埃除去具の複数枚綴じ物はその共通の一側縁（長方形の一方の短辺）に天糊が施されて綴じ合わされている。好ましくは、天糊には粘着シートの粘着層を利用する。
【実施例】
【０００８】  以下、添付図面に従って一実施例を説明する。図１は一枚の粘着シート状塵埃除去具の概略（左半分の図）と離型紙剥離開始状態（右半分の図）とを並べて図示している。図２は粘着シート状塵埃除去具の複数枚重ねの左側縁が天糊で綴り合わされた状態を示す概略側面図である。【０００９】  これらの図において、１は粘着シート、２は粘着シートのシート部、３は粘着シートの粘着層、４は粘着層を覆う離型紙、５は離型紙に施された切断スリット加工、５Ａ、５Ａは離型紙の切断端面、６は粘着シート１と離型紙４とから成る一枚の粘着シート状塵埃除去具、７は粘着シート状塵埃除去具の複数枚綴じ物である。特に図２において３Ａは粘着性の天糊、２Ａは天糊３Ａを覆う保護シート部である。【００１０】  図２から理解される通り、粘着シート状塵埃除去具６の複数枚は共通の一側縁（図に於いて左端）において天糊３Ａを施されて綴じ合わされている。この天糊３Ａは粘着シートの粘着層を利用したもであるので糊を乾燥させる時間を取らない。保護シート２Ａは粘着性の天糊３Ａが他の物に粘着しない為に必要であることは言うまでもない。【００１１】  かかる粘着シート状塵埃除去具６の複数枚綴じ物７から任意の一枚を取り出して、図１の右半分の図のように切断スリット加工５の線に沿って離型紙４側が山になるように粘着シート状塵埃除去具６を曲げると、切断スリット加工された離型紙４の切断端面５Ａ，５Ａが浮き上がり、離型紙４は簡単に粘着シート１から剥離出来る。【０００１２】  離型紙４と粘着シート１とが同じサイズであるので粘着シート状塵埃除去具６を製造することはきわめて簡単であり、離型紙４に施す切断スリット加工５も極めて簡単な加工であり、粘着シート状塵埃除去具６の安価な大量生産を可能にする。そして、複数枚の粘着シート状塵埃除去具６が天糊３Ａで綴じ物７に加工されているので複数枚を纏めて景品として配布するのに便利である。勿論この綴じ物７にする加工手段は天糊であるので安価である。【００１３】  図３に天糊加工手段の別の態様を説明する。図３における参照符号の大半は図２のものと同じである。参照符号が異なるのは２Ｂ、３Ｂである。２Ｂ及び３Ｂは図３における最下層の粘着シート１の延長シート天糊保護部及び延長粘着性天糊部である。延長粘着性天糊部３Ｂは離型紙４で覆われていない。延長シート天糊保護部２Ｂおよび延長粘着性天糊部３Ｂを立ち上げて粘着シート状塵埃除去具６の複数枚重ねの共通端面に貼り合わせて天糊加工とする。最下層の粘着シート状塵埃除去具６の延長粘着性天糊部３Ｂを利用して綴じ物７にしているので、図２の如き粘着シート１から分離した保護シート部２Ａと粘着性の天糊３Ａでないので、一層安価になる。
天糊加工は図２、図３に示すものの他に、勿論一般の天糊も本考案に含まれる事は言うまでもない。【００１４】  図１から図３の粘着シート１に共通する点は、シート部２に印刷を施して広告に利用できる事である。或いは  白紙にしておいて使用者が適当に書き込めるようにしてもよい。
前者の場合、図２及び図３に示す通り、最下層、最上層の粘着シート状塵埃除去具６はいずれも外側面にシート部２が来るように配列される。これにより配布するときに裏表に気を配ることも無く、広告効果を高める事が出来る。
後者の場合、パーテイ主催者がこの粘着シート状麈埃除去具６の複数枚綴じ物７を複数個購入してパーテイ出席者に配り、例えば手書き名刺とし各人の胸に貼り付けて貰うようにもすることができる。
又、粘着シート１を覆う離型紙４にも必要事項を印刷してこれをクーポンとして利用することも出来る。【００１５】  尚  図示しないが、複数枚の粘着シート状塵埃除去具６の綴じ合わせは、天糊加工の他に、ステイプラーを使用することもある。【００１６】  更に、図示はしないが、複数枚の粘着シート状塵埃除去具６を、最も簡単に一纏めの綴じ物にするために、透明な袋に入れることもある。
【図面の簡単な説明】
【００１７】
【図１】  本考案の粘着シート状塵埃除去具の複数枚綴じ物の一枚の概略とこの１枚の粘着シート状塵埃除去具から離型紙を剥離する状態の概略とを説明する為の図。
【図２】  本考案の一実施例の粘着シート状塵埃除去具の複数枚綴じ物の概略側面図。
【図３】  本考案の他の実施例の粘着シート状塵埃除去具の複数枚綴じ物の概略側面図。
【符号の説明】
【００１８】１は粘着シート
２は粘着シートのシート部
３は粘着シートの粘着層
２Ａは保護シート部
３Ａは粘着性の天糊
２Ｂは延長シート天糊保護部
３Ｂは延長粘着性天糊部
４は離型紙
５は切断スリット加工
５Ａは切断端面
６は粘着シート状塵埃除去具
７は粘着シート状塵埃除去具の複数枚綴じ物
【図１】
0003113334.tif 000003
【図２】
0003113334.tif 000004
【図３】
0003113334.tif 000005